(57)【要約】【課題】狭いスペースで所望の画像を撮像できる生体情報取得装置を提供する。【解決手段】生体情報取得装置（生体情報取得部２）は、１列以上の画素列を有する撮像部２００と、被検体が載置される載置台８０１と、を備えている。載置台８０１は、画素列上において画素列に含まれる複数の画素ＰＸの配置方向に交差する方向へ可動な構成とされている。さらに被検体に光を照射する光源１００を備えている。載置台８０１は、光源１００が被検体に照射する光に対して透過性を有する部材から成る。載置台８０１は、ガイド部材８０２に沿って移動する構成とされている。【選択図】図２
2009285338.tif 000002
【特許請求の範囲】
【請求項１】
被検体を撮像して生体情報を取得する生体情報取得装置であって、
１列以上の画素列を有する撮像部と、前記被検体が載置される載置台と、を備え、
前記載置台は、前記画素列上において前記画素列に含まれる複数の画素の配置方向に交差する方向へ可動な構成とされた生体情報取得装置。
【請求項２】
前記被検体に光を照射する光源を備え、
前記載置台は、前記光源が被検体に照射する光に対して透過性を有する部材から成り、ガイド部材に沿って移動することを特徴とする請求項１に記載の生体情報取得装置。
【請求項３】
前記載置台を元位置に復帰させる復帰手段を備えることを特徴とする請求項１又は２に記載の生体情報取得装置。
【請求項４】
前記画素列に対する前記載置台の移動量を検出する検出手段を備えることを特徴とする請求項１乃至３のいずれか１項に記載の生体情報取得装置。
【請求項５】
前記検出手段として、前記画素列上に、前記画素列に対する前記載置台の移動量の検出用に規則的なパターンが形成されていることを特徴とする請求項４に記載の生体情報取得装置。
【請求項６】
前記光源の光量を制御する制御部を備えることを特徴とする請求項２に記載の生体情報取得装置。
【請求項７】
被検体を撮像して生体情報を取得する生体情報取得部と、
前記生体情報取得部が取得した生体情報と、予め登録された生体情報とを比較して認証する認証部と、を備える生体認証装置であって、
前記生体情報取得部は、１列以上の画素列を有する撮像部と、前記被検体が載置される載置台と、を備え、
前記載置台は、前記画素列上において前記画素列に含まれる複数の画素の配置方向に交差する方向へ可動な構成とされた生体認証装置。
【請求項８】
請求項７に記載の生体認証装置を備える電子機器。
【発明の詳細な説明】
【技術分野】
【０００１】
本発明は、生体情報取得装置、生体認証装置及び電子機器に関するものである。
【背景技術】
【０００２】
近年、情報セキュリティの保護強化に伴って、生体認証に関する技術開発が進められている。生体認証とは、個人より取得した生体情報を、予め登録された生体情報と比較して、本人か否かの認証を行う技術である。生体情報としては、ヒトの虹彩パターンを用いたもの、ヒトの指紋パターン又は指静脈パターンなどを用いたものなどがある。なかでも、ヒトの指静脈パターンを用いた生体認証は、パターン画像の偽造が困難であり、高いセキュリティを確保することができる。
【０００３】
この指静脈パターンを取得する際には、所望の範囲で画像を撮像する必要があるが、所望の範囲に対応するように画素が２次元配列されたエリアセンサーを用いると、生体情報取得装置全体としての価格が高くなる。
【０００４】
そこで、特許文献１の生体情報取得装置は、ラインセンサーを備えるスライド部材を、駆動装置によって前記ラインセンサーと交差する方向に移動させ、被検体の部分画像を順次撮像している。
【特許文献１】特開２００７−２５７３０７号公報
【発明の開示】
【発明が解決しようとする課題】
【０００５】
特許文献１の生体情報取得装置は、被検体の下方においてラインセンサーを備えるスライド部材を移動させるためのスペースや、駆動装置を収めるためのスペースなどを確保する必要がある。
【０００６】
本発明は、狭いスペースで所望の画像を撮像できる、生体情報取得装置、生体認証装置及び電子機器を提供することを目的とする。
【課題を解決するための手段】
【０００７】
本発明に係る生体情報取得装置は、被検体を撮像して生体情報を取得する生体情報取得装置であって、１列以上の画素列を有する撮像部と、前記被検体が載置される載置台と、を備え、前記載置台は、前記画素列上において前記画素列に含まれる複数の画素の配置方向に交差する方向へ可動な構成とされている。これにより、狭いスペースで、しかも駆動装置を省略した簡単な構成で、所望の画像を、安価に撮像できる。
【０００８】
上述の被検体に光を照射する光源を備え、前記載置台は、前記光源が被検体に照射する光に対して透過性を有する部材から成り、ガイド部材に沿って移動すること、が好ましい。
【０００９】
上述の載置台を元位置に復帰させる復帰手段を備えること、が好ましい。これにより、ユーザーが元位置まで手動によって載置台を復帰させる必要がなくなり、ユーザーの使い勝手を向上させることができる。また、載置台を精度良く、元位置に復帰させることができるので、撮像する画像の精度を向上させることができる。
【００１０】
さらに上述の画素列に対する前記載置台の移動量を検出する検出手段を備えること、が好ましい。これにより、撮像部が撮像して得た信号から一枚の所望の合成画像を精度良く形成することができる。
【００１１】
上述の検出手段として、前記画素列上に、前記画素列に対する前記載置台の移動量の検出用に規則的なパターンが形成されていること、が好ましい。
【００１２】
上述の光源の光量を制御する制御部を備えること、が好ましい。これにより、外光の変化や載置台の移動速度の変化などによって、指に照射される光の光量変化に対応することができる。
【００１３】
本発明に係る生体認証装置は、被検体を撮像して生体情報を取得する生体情報取得部と、前記生体情報取得部が取得した生体情報と、予め登録された生体情報とを比較して認証する認証部と、を備える生体認証装置であって、前記生体情報取得部は、１列以上の画素列を有する撮像部と、前記被検体が載置される載置台と、を備え、前記載置台は、前記画素列上において前記画素列に含まれる複数の画素の配置方向に交差する方向へ可動な構成とされている。これにより、狭いスペースで、しかも駆動装置を省略した簡単な構成で、所望の画像を、安価に撮像できる。
【００１４】
本発明に係る電子機器は、上述の生体認証装置を備えている。これにより、狭いスペースで、しかも駆動装置を省略した簡単な構成で、所望の画像を、安価に撮像できる。
【発明の効果】
【００１５】
本発明によれば、狭いスペースで所望の画像を撮像できる。
【発明を実施するための最良の形態】
【００１６】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００１７】
＜実施形態１＞
本発明に係る生体情報取得装置、生体認証装置及び電子機器の実施形態１について、図１乃至図７を用いて説明する。
【００１８】
生体認証装置１は、図１に示すように、被検体を撮像した画像から指紋パターンや指静脈パターン等の生体情報を取得する生体情報取得部（生体情報取得装置）２、生体情報取得部２が取得した生体情報と、予め登録された生体情報とを比較して認証する認証部３とを備えている。生体認証装置１は、電子機器の一種である携帯電話、ＰＣ（Personal Computer）、ＡＴＭ（Automated Teller Machine）などに好適に搭載される。
【００１９】
本実施形態の生体情報取得部２は、光源１００、撮像部２００、制御部３００、アナログ／デジタル（Ａ／Ｄ）変換器４００、処理部５００、ラインメモリ６００、フレームメモリ７００を備えている。
【００２０】
この生体情報取得部２の特徴とするところは、図２〜図５に示す如く、所望のライン分の画像が撮像できるように、載置された被検体（本実施形態では指）を、撮像部２００が有するラインセンサー２０１上において前記ラインセンサー２０１の画素列に含まれる複数の画素の配置方向に交差する方向へ移動（スライド）させる移動手段８００を備えていることである。
【００２１】
移動手段８００は載置台８０１、ガイド部材８０２を備えている。
載置台８０１は、図３に示すように光源１００が指に照射する光（以下、単に検査光という。）に対して透過性を有する平板部材から成る。この載置台８０１は、撮像される指の所定部位を少なくとも載置できる大きさを有する載置部８０３を備えている。載置部８０３の下面には、図４及び図５に示すように、二本のＬ字部材８０４が指の向きと平行に、且つ指の撮像領域の両側に、それぞれ水平片８０４ａを外方に突出させるように設けられている。載置部８０３の上面には、前記Ｌ字部材の延在方向に向かって所定の位置に指が載置されるように、指の外周縁を模った逆Ｕ字形状の指案内部材８０５が設けられている。これにより、常に決められた位置にユーザーは指を載置することになり、精度の良い画像を撮像することができる。
【００２２】
ガイド部材８０２は、例えばＬ字部材やコの字部材等のように、前記載置部８０３のＬ字部材８０４の溝部８０４ｂに嵌め込むことができる水平片を有していれば良い。ガイド部材８０２の長さは、載置部８０３に載置される指の所定部位の長さよりも長く設定されている。このようなガイド部材８０２は、二本平行に水平片が載置部８０３のＬ字部材８０４の溝部８０４ｂに嵌め込まれた形態で、例えば携帯電話の筐体に固定されている。
【００２３】
二本のガイド部材８０２の間における下側部分（但し、上側部分でも良い。）には、ガイド部材８０２に交差する方向に格納部材９００が配置されている。この格納部材９００の両端はガイド部材８０２に固定されている。
【００２４】
格納部材９００には、図６（ａ）に示すように、少なくとも載置部８０３上に載置された指の横断領域に複数の光源１００、及び撮像部２００が格納されている。すなわち、ガイド部材８０２は、載置台８０１の移動方向を規定し、載置台８０１が移動する平面下において前記載置台８０１の移動方向に交差する方向にラインセンサー２０１が配置された構成とされている。
【００２５】
このような構成の生体認証装置１、生体情報取得部（生体情報取得装置）２及び電子機器は、ユーザーが光源１００及びラインセンサー２０１上に配置された略平板状の載置台８０１に指を載置し、人力のよって載置台８０１をラインセンサー２０１に交差する方向（本実施形態では紙面における下方）にスライドさせると、ラインセンサー２０１上を載置台８０１に載置した指の所定部位が通過する。その際、撮像部２００は載置台８０１のスライド領域内で順次画像を撮像する。そのため、従来の生体情報取得装置や生体認証装置のように、ラインセンサーを備えるスライド部材を移動させるためのスペースや、駆動装置を収めるためのスペースなどを確保する必要がない。また、スライド部材を移動させるために駆動装置も必要ない。したがって、狭いスペースで、しかも駆動装置を省略した簡単な構成で、所望の画像を、ラインセンサーを用いて安価に撮像できる。特に、載置台８０１の下方のスペースを自由に用いることができ、生体認証装置１を搭載する電子機器を小型化することができる。
【００２６】
上述のような特徴を有する生体情報取得部２は、半導体発光素子（LED(Light Emitting Diode)）、又は半導体レーザ素子（LD(Laser Diode)）等から成る光源１００を用いて、載置部８０３に載置された指に検査光を照射する。検査光としては可視光（波長：およそ３６０〜８００ｎｍ）又は近赤外光（波長：およそ０．７〜２．５μｍ）を照射する。なお、ＬＥＤなどによって指に直接、検査光を照射しても、導光体などを用いて間接的に検査光を照射しても良い。また、生体情報として指紋パターンを取得する場合は、光源を省略しても良い。
【００２７】
指からの反射光又は透過光は、載置部８０３を介して撮像部２００に入射する。撮像部２００はラインセンサー２０１上に、図示は省略した光学機能部が積層された光学部品である。なお、本実施形態では、図６（ｂ）に示すように複数の画素ＰＸを一列に配置したラインセンサー２０１を用いているが、一列以上の画素列を有するセンサーを用いれば良い。
【００２８】
撮像部２００は、上方から入射した指からの反射光又は透過光を、外乱光を遮断するバンドパスフィルタ（光学機能部）に通した後に、マイクロレンズアレイ（光学機能部）によってラインセンサー２０１の各画素ＰＸに集光する。そして、撮像部２００は各画素ＰＸにおいて光電変換して、各画素ＰＸから信号を読み出し、Ａ／Ｄ変換器４００に供給する。
【００２９】
ちなみに、光源１００及び撮像部２００は、生体情報取得部２全体の制御を司る制御部３００によって制御されている。すなわち、制御部３００は、撮像して得た信号が所定の読み出しタイミングで読み出されるように制御したり、光源１００、撮像部２００に対して動作の開始又は停止を指示したりする。
【００３０】
Ａ／Ｄ変換器４００は、供給された各画素ＰＸからの信号をＡ／Ｄ変換し、処理部５００に供給する。処理部５００は、供給された各画素ＰＸからの信号を次々にラインメモリ６００に供給する。ラインメモリ６００は、供給された各画素ＰＸからの信号を蓄積し、１列分の画素列の信号（ライン信号）が蓄積されると、このライン信号を、処理部５００を介してフレームメモリ７００に供給する。フレームメモリ７００は、供給されたライン信号を蓄積し、所望数の（所望の画像を成す）ライン信号を蓄積すると、この所望数のライン信号を、処理部５００に供給する。処理部５００は、供給された所望数のライン信号に二値化処理などを施して生体情報を取得する。
【００３１】
このように生体情報取得部２で取得した生体情報を示す信号を、処理部５００から認証部３に供給すると、生体認証を行うことができる。認証部３は、取得した生体情報と、予め登録しておいた生体情報とを比較して認証する。
【００３２】
なお、生体情報取得部２は、図示例のように載置台８０１を元位置に復帰させる復帰手段１０００を備えていることが好ましい。例えば、ガイド部材８０２と平行に配置されたバネ等の弾性体１００１の一方の端部は載置部８０３の下面に設けられた連結片１００２に連結され、他方の端部は例えば携帯電話の筐体に設けられた連結片１００３に連結される。ユーザーが元位置、すなわち載置台８０１を撮像領域の始点位置まで手動によって復帰させる必要がなくなり、ユーザーの使い勝手を向上させることができる。また、載置台８０１を精度良く、元位置に復帰させることができるので、撮像する画像の精度を向上させることができる。
【００３３】
しかも、図７に示すように、載置部８０３の上面における指案内部材８０５内の下端部に樹脂などから成る滑り止め部材１１００が設けられていることが好ましい。なお、滑り止め部材１１００は、撮像領域に干渉しない部分に配置されていれば良い。また、滑り止め部材１１００は樹脂などに限られず、要するに指との抵抗を大きくすることができる部材であれば良い。
【００３４】
＜実施形態２＞
本発明に係る生体情報取得装置、生体認証装置及び電子機器の実施形態２を、図８〜図１２に基づいて説明する。なお、上記実施形態１と重複する部分の説明は省略し、相違部分を詳細に説明する。
【００３５】
本実施形態の生体情報取得部１２は、図８及び図９に示すように、ラインセンサー２０１上に、ラインセンサー２０１に対する載置台８０１の移動量の検出用に規則的なパターン１２００が形成されている。具体的にいうと、ラインセンサー２０１は指の撮像領域より、画素列が突出するように配置されている。この突出した複数の画素上をパターン１２００が通過するように、パターン１２００は載置部８０３の下面にラインセンサー２０１に交差する方向に設けられている。
【００３６】
このパターン１２００は、ラインセンサー２０１が撮像した画像に対して位置情報（アドレス）を付与できるように、図１０（ａ）に例示するバーコードなどの数値を表すアドレスコード１２００ａを有する。このパターン１２００は、所定の読み出しタイミングで各アドレスコード１２００ａを撮像して得た信号が読み出されるように、載置部８０３の下面に予め設ける。載置部８０３を介してパターン１２００を移動させると、撮像部２００は所定の読み出しタイミングでアドレスコード１２００ａを撮像して得た信号を読み出す。このとき、読み出しタイミングがずれている場合は、読み出しタイミングを調整してアドレスコード１２００ａを撮像して得た信号が読み出されるように調整する。これにより、図１１に示すように、載置部８０３を移動させて、撮像部２００によって撮像して得た信号を所定の読み出しタイミングで読み出すと、必ずアドレスコード１２００ａを撮像して得た信号と、指を撮像して得たライン信号とを関連付けて読み出すことができる。
【００３７】
このように撮像部２００によってアドレスコード１２００ａを撮像して得た信号と、指を撮像して得たライン信号とを関連付けて読み出されるが、図１２に示すように、これら両信号がＡ／Ｄ変換器４００から処理部５００に供給される前に、位置情報抽出部１３００がアドレスコード１２００ａを撮像して得た信号のみ抽出する。抽出方法は、供給された信号が何処に配置された画素によって撮像されて得た信号かを判断し、例えば最初の数画素で撮像されて得た信号であれば、アドレスコード１２００ａを撮像して得た信号であると認識して抽出する。
【００３８】
位置情報抽出部１３００は、抽出したアドレスコード１２００ａを撮像して得た信号を、アドレス検出部１４００に供給する。アドレス検出部１４００は、供給されたアドレスコード１２００ａを撮像して得た信号に基づいてアドレスを検出し、このアドレスを示す信号を、制御部３００を介して処理部５００に供給する。
【００３９】
一方、指を撮像して得たライン信号は、処理部５００を介してラインメモリ６００に蓄積される。ラインメモリ６００は、蓄積した指を撮像して得たライン信号を処理部５００に供給する。
【００４０】
処理部５００は、供給されたアドレスを示す信号と、指を撮像して得たライン信号とを関連付けて、フレームメモリ７００に供給する。載置台８０１の移動に伴って、処理部５００から供給されたアドレスを示す信号と、指を撮像して得たライン信号とが関連付けられて、次々とフレームメモリ７００に供給される。フレームメモリ７００は、予めアドレスを示す信号に基づいて、指を撮像して得たライン信号を並べるように設定されている。その結果、フレームメモリ７００は、供給されたアドレスを示す信号に基づいて指を撮像して得たライン信号を並べ、所望の一枚の合成画像を形成する。そのため、ラインセンサー２０１が撮像して得たライン信号から一枚の所望の合成画像を精度良く形成することができる。
【００４１】
本実施形態では、図１１に示すように、撮像部２００は、先にアドレスコード１２００ａを撮像して得た信号を読み出している。しかし、撮像部２００は、先に指を撮像して得たライン信号を読み出し、その後にアドレスコード１２００ａを撮像して得た信号を読み出しても良い。当該信号の読み出しは、撮像部２００の垂直走査回路及び水平走査回路の制御によって規定される。
【００４２】
なお、パターン１２００は、図１０（ｂ）に示すように、楔形状（三角形状）の白色部分の光反射部１２００ｂと、この光反射部以外の黒色領域（図示例では斜線部分）の光吸収部１２００ｃとに塗り分けられた形態でも良い。この場合、ラインセンサー２０１が光反射部１２００ｂを撮像して得た信号を、アドレス検出部１４００が２値化処理すると、ある長さをもった信号パルスが得られる。アドレス検出部１４００は、当該信号パルスの長さがラインセンサー２０１の何画素分に該当するかを数えて、指を撮像して得たライン信号のアドレスを検出する。
【００４３】
また、パターン１２００は、図１０（ｃ）に示すように、ラインセンサー２０１の画素の一辺の長さと略等しい高さを有する矩形状の白点をＮライン上に配置した光反射部１２００ｄと、この光反射部以外の黒色領域（図示例では斜線部分）の光吸収部１２００ｅとに塗り分けても良い。この場合、ラインセンサー２０１が白点を撮像して得た信号を、アドレス検出部１４００が２値化処理すると、白点の配置と対応するように信号パルスが得られる。アドレス検出部１４００は、当該信号パルスの位置に基づいて、指を撮像して得たライン信号のアドレスを検出する。図１０（ｃ）のように、白点をＮライン上に配置することで、上下に隣接する白点相互のシフト量を大きく確保することができるので、指を撮像して得たライン信号のアドレスを検出しやすくなる。
【００４４】
さらに、パターン１２００は、図１０（ｄ）に示すように、ラインセンサー２０１の画素の一辺の長さと略等しい高さを有する白色ブロック領域の光反射部１２００ｆと黒色ブロック領域（図示例では斜線部分）の光吸収部１２００ｇとの塗り分け部分を、１ライン分ごとに互い違い（市松模様状）に塗り分けても良い。この場合、アドレス検出部１４００は、塗り分け部分の光反射部１２００ｆと光吸収部１２００ｇとが入れ替わった回数を数えることで、指を撮像して得たライン信号のアドレスを検出する。
【００４５】
但し、図１０（ａ）〜（ｄ）に示したパターン１２００は例示であって、アドレスを検出することができるパターンとされていれば良い。
また、載置台８０１のラインセンサー２０１に対する移動量の検出手段としては、上記のようにパターンに限られない。すなわち、エンコーダ等の移動量を検出する手段を用いて、載置台８０１のラインセンサー２０１に対する移動量を検出しても良い。要するに、検出手段は、載置台８０１のラインセンサー２０１に対する移動量を検出することができる構成であれば良い。
【００４６】
＜実施形態３＞
本発明に係る生体情報取得装置、生体認証装置及び電子機器の実施形態３を、図１３〜図１５に基づいて説明する。なお、上記実施形態１、２と重複する部分の説明は省略し、相違部分を詳細に説明する。
【００４７】
本実施形態の生体情報取得部２２は、上記実施形態２の生体情報取得装置１２と略同様の構成とされているが、図１３に示すように、光源１００における指に照射する光の光量を制御する構成とされている。
【００４８】
具体的にいうと、生体情報取得部２２は、図１４に示すような光量調整マーカ１２００ｈを有するパターン１２００が載置部８０３の下面に設けられている。光量調整マーカ１２００ｈは、例えば灰色の縦長ブロック領域とされ、光源１００の初期光量を調整できるように、アドレスコードや光反射部の手前に形成されている。
【００４９】
載置部８０３を介して光量調整マーカ１２００ｈを有するパターン１２００を移動させると、上記実施形態２のアドレスコードや光反射部と同様に、光量調整マーカ１２００ｈは撮像部２００で撮像され、その後、位置情報抽出部１３００で抽出される。
【００５０】
位置情報抽出部１３００は、光量調整マーカ１２００ｈを撮像して得た信号をアドレス検出部１４００と光量調整マーカ検出部１５００とに供給する。このとき、光量調整マーカ１２００ｈは等しい幅の縦長ブロック形状なので、上述したアドレスコードや光反射部とは異なる連続した長い信号パルスが、アドレス検出部１４００と光量調整マーカ検出部１５００とに供給される。これにより、アドレス検出部１４００は供給された信号がアドレスを検出するための信号でないことを認識し、逆に光量調整マーカ検出部１５００は光量調整用の信号であることを認識する。但し、光量調整マーカ１２００ｈは灰色であるので、光量調整マーカ検出部１５００はグレーレベルを示す信号が連続的に供給されると、光量調整用の信号であることを認識する構成でも良い。
【００５１】
光量調整マーカ検出部１５００は、供給された光量調整マーカ１２００ｈを撮像して得た信号を制御部３００に供給する。制御部３００は、予め撮像して得る信号の信号レベルと、光源１００の光量との関係を導き出しておき、当該関係から撮像して得た信号の信号レベルが最適な信号レベルとなる光源１００の光量を算出するように設定されている。その結果、制御部３００は、光量調整マーカ１２００ｈを撮像して得た信号が供給されると、当該信号が最適な信号レベルとなるように、光源１００の初期光量を算出し、この初期光量に光源１００を制御する。この光源１００の初期光量で撮像部２００は指を撮像し、指を撮像して得た信号とアドレスコードや光反射部を撮像して得た信号とを読み出す。
【００５２】
読み出した指を撮像して得た信号及びアドレスコードや光反射部を撮像して得た信号から、位置情報抽出部１３００はアドレスコードや光反射部を撮像して得た信号を抽出し、アドレス検出部１４００と光量調整マーカ検出部１５００とに供給する。光量調整マーカ検出部１５００は、光量調整マーカ１２００ｈを撮像して得た信号とは異なる信号が供給されるので、光量調整用の信号でないことを認識し、逆にアドレス検出部１４００はアドレス検出用の信号であることを認識する。
【００５３】
アドレス検出部１４００は、供給されたアドレスコードや光反射部を撮像して得た信号に基づいてアドレスを検出し、このアドレスを示す信号を制御部３００に供給する。
【００５４】
指を撮像して得たライン信号は、処理部５００を介してラインメモリ６００と制御部３００とに供給される。
制御部３００は、指を撮像して得たライン信号の信号レベルを算出する。そして、制御部３００は、当該信号レベルに基づいて、次のアドレスにおいて指を撮像して得るライン信号が最適な信号レベルとなるように、光源１００の光量を算出する。制御部３００は、算出した光量となるように光源１００を制御しつつ、撮像部２００に次のアドレス位置における撮像を指示し、撮像して得た信号をＡ／Ｄ変換器４００に供給させる。
【００５５】
制御部３００は、さらにアドレスを示す信号を処理部５００に供給する。その一方で、ラインメモリ６００は、蓄積された指を撮像して得たライン信号を処理部５００に供給する。
処理部５００は、供給されたアドレスを示す信号と、指を撮像して得たライン信号とを関連付けて、フレームメモリ７００に供給する。
【００５６】
本実施形態の生体情報取得部２２は、次のアドレスにおいて指を撮像して得るライン信号が最適な信号レベルとなるように繰り返し制御しつつ、所望の合成画像を形成する。つまり、光源１００は、次のアドレス位置での撮像時に最適な光量となるように制御されるので、外光の変化や載置台８０１の移動速度の変化などによって、指に照射される光の光量変化に対応することができる。ちなみに、図１５には、光源１００の光量を制御しつつ、撮像部２００でパターン１２００及び指を撮像して得た信号を示している。
【００５７】
上記実施形態１〜３は、被検体として指を用いたが、体の異なる部位を用いても良い。
【００５８】
以上に、本発明に係る生体情報取得装置、生体認証装置及び電子機器の実施形態を説明したが、本発明の要旨を逸脱しない範囲で、種々の変更が可能である。
【図面の簡単な説明】
【００５９】
【図１】本発明の実施形態１に係る生体認証装置の構成を示すブロック図である。
【図２】本発明の実施形態１に係る生体情報取得部を概略的に示す正面図である。
【図３】載置台を概略的に示す正面図である。
【図４】載置台を概略的に示す背面図である。
【図５】載置台を概略的に示す底面図である。
【図６】(ａ）は光源及び撮像部などを格納した格納部材を概略的に示す正面図である。（ｂ）はラインセンサーを概略的に示す部分拡大図である。
【図７】異なる載置台を概略的に示す正面図である。
【図８】本発明の実施形態２に係る生体情報取得部を概略的に示す正面図である。
【図９】異なる載置台を概略的に示す背面図である。
【図１０】（ａ）〜（ｄ）はパターンを概略的に示す正面図である。
【図１１】読み出した位置情報を示す信号と、指を撮像して得たライン信号とを示す図である。
【図１２】本発明の実施形態２に係る生体認証装置の構成を概略的に示すブロック図である。
【図１３】本発明の実施形態３に係る生体認証装置の構成を概略的に示すブロック図である。
【図１４】光量調整パターンが形成されたパターンを概略的に示す正面図である。
【図１５】光源の光量を制御しつつ、撮像して得た信号を示す図である。
【符号の説明】
【００６０】
１  生体認証装置
２  生体情報取得部
１２  生体情報取得部
２２  生体情報取得部
１００  光源
２００  撮像部
２０１  ラインセンサー
ＰＸ  画素
８００  移動手段
８０１  載置台
８０２  ガイド部材
１０００  復帰手段
１２００  パターン
【図１】
2009285338.tif 000003
【図２】
2009285338.tif 000004
【図３】
2009285338.tif 000005
【図４】
2009285338.tif 000006
【図５】
2009285338.tif 000007
【図６】
2009285338.tif 000008
【図７】
2009285338.tif 000009
【図８】
2009285338.tif 000010
【図９】
2009285338.tif 000011
【図１０】
2009285338.tif 000012
【図１１】
2009285338.tif 000013
【図１２】
2009285338.tif 000014
【図１３】
2009285338.tif 000015
【図１４】
2009285338.tif 000016
【図１５】
2009285338.tif 000017